(57)【要約】【課題】火災発生時に消火器を用いた適切な消火活動を行える消火器操作ユニットを提供することを目的とする。【解決手段】レバー操作型の消火器２に着脱自在に取り付けられ、操作レバー１５の上方をほぼ水平に延びるように上下面内で反転屈曲されたホース１６を操作レバー１５とともに覆うハウジング２０と、ハウジング２０に設けられ、ホース１６のうち操作レバー１５の上方を延びる部分１６Ｓを保持するホース保持部３５と、操作レバー１５に装着された装着部材を下方に引き下げて操作レバー１５を支点１５Ｓ回りに揺動させるレバー操作アクチュエータとしてのワイヤ巻取りモータ４１と、ワイヤ巻取りモータ４１の作動指令信号を出力する信号出力手段（カメラ６０及び制御装置５０）を備える。【選択図】図６
2016182218.tif 000002
【特許請求の範囲】
【請求項１】
消火剤を収容した本体部の上部に操作レバーと屈曲自在なホースとを有し、前記操作レバーを支点回りに下方に揺動させると前記本体部内に収容された消火剤が前記ホースの先端部より噴出される構成の消火器に取り付けて用いられる消火器操作ユニットであって、
前記消火器に着脱自在に取り付けられ、前記操作レバーの上方をほぼ水平に延びるように上下面内で反転屈曲された前記ホースを前記操作レバーとともに覆うハウジングと、
前記ハウジングに設けられ、前記ホースのうち前記操作レバーの上方を延びる部分を保持するホース保持部と、
前記操作レバーに装着された装着部材を下方に引き下げて前記操作レバーを前記支点回りに下方に揺動させるレバー操作アクチュエータと、
前記レバー操作アクチュエータの作動指令信号を出力する信号出力手段とを備えたことを特徴とする消火器操作ユニット。
【請求項２】
前記ホース保持部は前記ホースのうち前記操作レバーの上方を延びる部分を挿通させる筒状部材から成ることを特徴とする請求項１に記載の消火器操作ユニット。
【請求項３】
前記信号出力手段は、前記ハウジングに設けられ、前記ハウジングが取り付けられた前記消火器の前記ホースの先端部が向く方向に撮像視野を向けて動画撮像を行うカメラと、前記カメラにより撮像された動画に基づいて前記カメラの撮像範囲内に炎が発生したか否かを判断する判断部及び前記判断部が前記カメラの撮像範囲内に炎が発生したと判断した場合に前記レバー操作アクチュエータの作動指令信号を出力する信号出力部を有した制御装置とから成ることを特徴とする請求項１又は２に記載の消火器操作ユニット。
【請求項４】
前記ホース保持部を前記ハウジングに対して横方向に揺動させて前記ホースの先端部の向きを横方向に切り替える横方向揺動モータと、前記ホース保持部を前記ハウジングに対して縦方向に揺動させて前記ホースの先端部の向きを縦方向に切り替える縦方向揺動モータとを備え、前記判断部は前記カメラの撮像範囲内に炎が発生したと判断した場合に前記カメラの撮像範囲内における前記炎の位置を検出し、前記信号出力部は、前記判断部が検出した前記炎の位置に前記ホースの先端部が向くように前記横方向揺動モータの作動指令信号及び前記縦方向揺動モータの作動指令信号を出力することを特徴とする請求項３に記載の消火器操作ユニット。
【請求項５】
前記信号出力手段は、前記レバー操作アクチュエータの作動指令信号を手動操作により出力させる手動操作スイッチから成ることを特徴とする請求項１又は２に記載の消火器操作ユニット。
【発明の詳細な説明】
【技術分野】
【０００１】
本発明は、レバー操作型の消火器に取り付けて用いられる消火器操作ユニットに関するものである。
【背景技術】
【０００２】
従来、消火剤を収容した本体部の上部に設けられた操作レバーを支点回りに下方に揺動させるとホースの先端部より消火剤が噴出されるレバー操作型の消火器が知られている（例えば、下記の特許文献１参照）。このようなレバー操作型の消火器は住宅（家庭）用や業務用等として一般に市販されており、取扱いが簡単なうえ入手も容易である。このため石油ストーブやガスコンロ等の火災の火元となり得る設備が設置されている部屋や、工場内の火災が発生し得る領域の近辺にこのような消火器が常設されている場合が多い。
【先行技術文献】
【特許文献】
【０００３】
【特許文献１】特開平１０−３３７０８号公報
【発明の概要】
【発明が解決しようとする課題】
【０００４】
しかしながら、このような消火器の取扱いが簡単であるといっても、実際の消火活動時には、消火器を設置場所から取り上げてホースの先端部を火元に向け、そのうえで操作レバーを操作するという一連の行為が必要である。このため小さい子供や体が不自由な人にとっては必ずしも操作が簡単であるとはいえず、火災発生時に適切な消火活動を行えない場合があるという問題点があった。
【０００５】
そこで本発明は、火災発生時に消火器を用いた適切な消火活動を行える消火器操作ユニットを提供することを目的とする。
【課題を解決するための手段】
【０００６】
本発明の消火器操作ユニットは、消火剤を収容した本体部の上部に操作レバーと屈曲自在なホースとを有し、前記操作レバーを支点回りに下方に揺動させると前記本体部内に収容された消火剤が前記ホースの先端部より噴出される構成の消火器に取り付けて用いられる消火器操作ユニットであって、前記消火器に着脱自在に取り付けられ、前記操作レバーの上方をほぼ水平に延びるように上下面内で反転屈曲された前記ホースを前記操作レバーとともに覆うハウジングと、前記ハウジングに設けられ、前記ホースのうち前記操作レバーの上方を延びる部分を保持するホース保持部と、前記操作レバーに装着された装着部材を下方に引き下げて前記操作レバーを前記支点回りに下方に揺動させるレバー操作アクチュエータと、前記レバー操作アクチュエータの作動指令信号を出力する信号出力手段とを備えた。
【発明の効果】
【０００７】
本発明によれば、火災発生時に消火器を用いた適切な消火活動を行える。
【図面の簡単な説明】
【０００８】
【図１】本発明の一実施の形態における消火器操作ユニットを消火器に取り付けた状態で示す斜視図
【図２】本発明の一実施の形態における消火器操作ユニットを消火器に取り付けた状態で示す側面図
【図３】本発明の一実施の形態における消火器操作ユニットの斜視図
【図４】本発明の一実施の形態における消火器操作ユニットの透視斜視図
【図５】本発明の一実施の形態における消火器操作ユニットの一部断面平面図
【図６】本発明の一実施の形態における消火器操作ユニットを消火器に取り付けた状態で示す側断面図
【図７】本発明の一実施の形態における消火器操作ユニットの動作系統を示すブロック図
【図８】本発明の一実施の形態における消火器操作ユニットが備えるカメラにより撮像した画像の一例を示す図
【図９】本発明の一実施の形態における消火器操作ユニットを消火器に取り付ける手順を説明する図
【図１０】（ａ）（ｂ）本発明の一実施の形態における消火器操作ユニットを消火器に取り付ける手順を説明する図
【図１１】（ａ）（ｂ）本発明の一実施の形態における消火器操作ユニットを消火器に取り付ける手順を説明する図
【図１２】（ａ）（ｂ）本発明の一実施の形態における消火器操作ユニットを取り付けた消火器を消火対象物に対して設置した状態を示す図
【図１３】（ａ）（ｂ）本発明の一実施の形態における消火器操作ユニットが取り付けられた消火器が消火対象物に発生した炎を消化する様子を示す図
【図１４】本発明の一実施の形態の変形例に係る消火器操作ユニットを消火器に取り付けた状態で示す斜視図
【発明を実施するための形態】
【０００９】
以下、図面を参照して本発明の実施の形態について説明する。図１及び図２は、本発明の一実施の形態における消火器操作ユニット１を消火器２に取り付けた状態で示したものである。ここで用いられる消火器２は一般に市販されているレバー操作型のものであり、消火器操作ユニット１は消火器２に着脱自在に取り付けられる。
【００１０】
図１及び図２において、消火器２は内部に消火剤ＳＺが封入された本体部１１、本体部１１の上部に取り付けられたキャップ１２、キャップ１２の上面から上方に延びた円筒部１３の上端に上下に配置して設けられたハンドル部１４と操作レバー１５、円筒部１３の側面からハンドル部１４及び操作レバー１５とは反対の側から延びて設けられたホース１６を備えている。ホース１６の先端部にはノズル１７が取り付けられており、ハンドル部１４に対して（すなわち本体部１１に対して）操作レバー１５を支点１５Ｓ回りに下方に揺動させると、ノズル１７（すなわちホース１６の先端部）から消火剤ＳＺが噴出される。
【００１１】
図１、図２及び図３において、消火器操作ユニット１は、消火器２に着脱自在に取り付けられるハウジング２０を備えている。ハウジング２０は底面板２１、挿入板２２、左右の側面板２３，２３、前方板２４、天井板２５及び前面板２６が組み合されて成り、内部に空間（内部空間２０Ｓと称する）を有している。ハウジング２０の前方には前方開口部２７が形成されており、ハウジング２０の後方には後方開口部２８が形成されている。
【００１２】
図４及び図５において、底面板２１は後縁側（後方開口部２８側）から中央部に向けて延びた切欠部２１Ｋを有している。切欠部２１Ｋには消火器２のキャップ１２の下部のネック部１２Ｎ（図２）を入り込ませている。挿入板２２は、切欠部２１Ｋにネック部１２Ｎを入り込ませた状態で、底面板２１の上面に切欠部２１Ｋを左右に挟んで配置された挿入板押さえ２１Ｔ，２１Ｔ（図４）の間に挿入して取り付けられている。このように底面板２１と挿入板２２は、ハウジング２０の消火器２への取付け部となっている。なお、ハウジング２０は、図２に示すように、消火器２のハンドル部１４と操作レバー１５がハウジング２０の内部空間２０Ｓ内でハウジング２０の前方を向く姿勢で消火器２に取り付けられている。
【００１３】
図１、図２及び図３において、左右の側面板２３，２３は底面板２１の上面の左右端部に下縁を接続させている。前方板２４は左右の側面板２３，２３の前方部分同士を横方向に掛け渡すように設けられている。天井板２５は左右の側面板２３，２３の上端に下面を接続させている。前面板２６は左右の側面板２３，２３の前端面と底面板２１の前端部上面に接して左右方向に延びた垂直姿勢で設けられている。前面板２６は底面板２１及び左右の側面板２３，２３に対して着脱自在となっている。
【００１４】
図２、図３及び図４において、ハウジング２０の天井板２５の下面には横方向揺動モータ３１が回転軸３１Ｊを下方に突出させて設けられている。横方向揺動モータ３１の回転軸３１Ｊにはブラケット３２が取り付けられている。図３、図４及び図５に示すように、ブラケット３２の側面にはモータ支持部３３が側方に張り出して設けられており、モータ支持部３３には回転軸３４Ｊを横方向に向けた縦方向揺動モータ３４が設けられている。
【００１５】
縦方向揺動モータ３４の回転軸３４Ｊはブラケット３２の側面を貫通しており、その先端部にはホース保持部３５が取り付けられている（図３、図４及び図５）。ホース保持部３５は前後方向に延びた筒状部材から成り、一端側（基端側）の開口部３５Ａはハウジング２０の内部空間２０Ｓ内に位置し、他端側（先端側）の開口部３５Ｂは前面板２６の前方に位置している（図２及び図５）。
【００１６】
図１及び図２において、ハウジング２０が取り付けられた消火器２のホース１６は、操作レバー１５の上方をほぼ水平に延びるように上下面内で横Ｕ字状に反転屈曲されており、操作レバー１５とともにハウジング２０によって覆われている。図２において、ホース保持部３５は、ホース１６のうち操作レバー１５の上方を延びる部分１６Ｓを挿通させており、ノズル１７はホース保持部３５の先端側の開口部３５Ｂよりも前方に突出した状態となっている。
【００１７】
横方向揺動モータ３１が回転軸３１Ｊを回転させるとブラケット３２が上下軸回りに回転し、ホース保持部３５がハウジング２０に対して横方向に揺動する（図５）。これによりホース１６の先端部の（すなわちノズル１７の）向きが横方向に切り替えられる。また、縦方向揺動モータ３４が回転軸３４Ｊを回転させるとホース保持部３５がハウジング２０に対して縦方向に揺動する（図２）。これによりホース１６の先端部の（すなわちノズル１７の）向きが縦方向に切り替えられる。このように本実施の形態における消火器操作ユニット１は、ホース保持部３５をハウジング２０に対して横方向（左右方向）に揺動させてホース１６の先端部（ノズル１７）の向きを横方向に切り替える横方向揺動モータ３１と、ホース保持部３５をハウジング２０に対して縦方向（上下方向）に揺動させてホース１６の先端部の向きを縦方向に切り替える縦方向揺動モータ３４とを有したものとなっている。
【００１８】
図２、図３及び図４において、底面板２１の前方領域にはワイヤ巻取りモータ４１が設けられている。ワイヤ巻取りモータ４１は駆動軸４１Ｊを前方に向けており、その駆動軸４１Ｊの端部にはワイヤ巻取りプーリ４２が取り付けられている。ワイヤ巻取りプーリ４２には装着部材であるワイヤ４３の一端部が取り付けられており、ワイヤ４３の他端部はハウジング２０が取り付けられた状態の消火器２の操作レバー１５の先端部に装着されている。本実施の形態では、ワイヤ４３の操作レバー１５に取り付けられる側の端部には、樹脂等の滑りにくい材料から製造されたサック状部材４４が取り付けられており、このサック状部材４４を操作レバー１５の端部に差し込むことによって、ワイヤ４３を簡単に操作レバー１５に装着することができるようになっている。
【００１９】
ワイヤ巻取りモータ４１が駆動軸４１Ｊを駆動するとワイヤ巻取りプーリ４２が回転し、ワイヤ４３を巻き取って下方に引き下げる。このため操作レバー１５が支点１５Ｓ回りに下方に揺動し（図６中に示す矢印Ａ）、ノズル１７から消火剤ＳＺが噴出する（図６）。なお、本実施の形態では、ワイヤ巻取りプーリ４２の側方にワイヤ巻取りモータ４１の駆動軸４１Ｊと平行な回転軸回りに回転自在な中継プーリ４５が設けられており、ワイヤ４３は中継プーリ４５を中継してワイヤ巻取りプーリ４２に巻き取られるようになっている。
【００２０】
図３及び図４において、ハウジング２０の底面板２１の上面には制御装置５０（図７）が設けられている。制御装置５０にはケーブル部材５１を介して横方向揺動モータ３１、縦方向揺動モータ３４及びワイヤ巻取りモータが電気的に接続されている。また、制御装置５０の電源ケーブル５２は、ハウジング２０の一方の側面板２３を切り欠いて形成したケーブル引出し孔２３ａ（図１及び図３）からハウジング２０の外部に延びている。
【００２１】
図３、図４及び図５において、ハウジング２０の前方板２４の上面にはカメラ６０が設定されている。カメラ６０は例えば赤外線カメラから成り、撮像視野を前方、すなわちハウジング２０が取り付けられた消火器２のホース１６の先端部（ノズル１７）が向く方向に向けて動画撮像を行う。カメラ６０はケーブル６１を介して制御装置５０に電気的に繋がっており、動画撮像により得られた画像のデータを制御装置５０に送信する。制御装置５０は、図７に示すように、判断部５０ａ及び信号出力部５０ｂを備える。
【００２２】
制御装置５０の判断部５０ａは、カメラ６０により撮像された動画の画像認識を行い、その画像認識の結果に基づいて、カメラ６０の撮像範囲ＳＨ（図３）内に炎が発生したか否かを判断する。具体的には、例えば、図８に示すように、画像認識した動作の画像ＧＺの中に、予め定めた所定の温度よりも高い温度を有する領域ＨＲ（図８中に暗色で示す領域）を検知した場合には、その領域が撮像範囲ＳＨ内に発生した炎ＦＬであると判断する。また、判断部５０ａは、撮像画像内における炎ＦＬの位置を検出し、ノズル１７の向き、すなわち消火剤ＳＺを噴出させるべき方向を設定する。
【００２３】
制御装置５０の信号出力部５０ｂは、判断部５０ａがカメラ６０の撮像範囲ＳＨ内に炎ＦＬが発生したと判断した場合には、ワイヤ巻取りモータ４１の作動指令信号を出力し、ワイヤ巻取りモータ４１を作動させることによって、ノズル１７から消火剤ＳＺを噴出させる。また、制御装置５０の信号出力部５０ｂは、判断部５０ａが検出した炎ＦＬの方向にホース１６の先端部（ノズル１７）が向くように、横方向揺動モータ３１の作動指令信号と縦方向揺動モータ３４の作動指令信号を出力する。図８の例では、カメラ６０の光軸の位置が画像ＧＺの中心位置ＣＰを向いている場合に、発生した炎ＦＬは画像ＧＺの中心位置ＣＰよりも左側によっているので、制御装置５０は、ノズル１７が画像ＧＺの中心位置ＣＰに対応する位置よりも左側を向くように横方向揺動モータ３１を作動させる作動指令信号を出力する。
【００２４】
このように本実施の形態における消火器操作ユニット１において、制御装置５０の判断部５０ａは、カメラ６０の撮像範囲ＳＨ内に炎ＦＬが発生したと判断した場合にカメラ６０の撮像範囲ＳＨ内における炎ＦＬの位置を検出し、信号出力部５０ｂは、判断部５０ａが検出した炎ＦＬの位置にホース１６の先端部が向くように横方向揺動モータ３１の作動指令信号及び縦方向揺動モータ３４の作動指令信号を出力するようになっている。なお、ハウジング２０に設けられて動画撮像を行うカメラ６０と、カメラ６０により撮像された動画に基づいてワイヤ巻取りモータ４１の作動指令信号を出力する信号出力部５０ｂを有した制御装置５０は、レバー操作アクチュエータであるワイヤ巻取りモータ４１の作動指令信号を出力する信号出力手段となっている。
【００２５】
次に、消火器操作ユニット１の消火器２への取付け手順と消火器操作ユニット１が取り付けられた消火器２の設置の仕方等を説明する。消火器操作ユニット１を消火器２に取り付けるときには、先ず、ハウジング２０の底面板２１に挿入板２２が取り付けられておらず、前面板２６が左右の側面板２３，２３の前方に前面板２６が取り付けられていない状態にする。そして、消火器２に取り付けられている安全ピン（図示せず）を引き抜いたうえで、ハウジング２０の後方開口部２８側から、消火器２のネック部１２Ｎに底面板２１の切欠部２１Ｋを入り込ませるようにして（図９及び図１０（ａ）中に示す矢印Ｂ）、ハウジング２０の底面板２１を消火器２に取り付ける（図１０（ａ））。このとき消火器２はハンドル部１４と操作レバー１５がハウジング２０の前方を向く姿勢とし、ハンドル部１４と操作レバー１５からハウジング２０の内部空間２０Ｓ内に収容されるようにする。
【００２６】
ハウジング２０の底面板２１を消火器２に取り付けたら、消火器２のホース１６を上方に反転屈曲させてノズル１７を前方に向ける。そして、ノズル１７をホース１６の基端側の開口部３５Ａから先端側の開口部３５Ｂに向けてホース保持部３５内を貫通させ、ホース１６のうち操作レバー１５の上方を延びる部分１６Ｓがホース保持部３５内を挿通するようにする。これによりノズル１７はホース保持部３５の先端側の開口部３５Ｂから前方に突出した状態となる。ノズル１７がホース保持部３５の先端側の開口部３５Ｂから突出したら、挿入板２２を底面板２１に取り付けて（図９及び図１０（ｂ）中に示す矢印Ｃ）、ハウジング２０を消火器２に固定する。
【００２７】
ハウジング２０を消火器２に固定したら、サック状部材４４を操作レバー１５の端部に取り付けて（図１１（ａ）中に示す矢印Ｄ）、ワイヤ４３を操作レバー１５に装着する。ワイヤ４３を操作レバー１５に装着したら、前面板２６を左右の側面板２３，２３の前方に取り付ける（図１１（ｂ））。これにより消火器操作ユニット１の消火器２への取付けが完了する。
【００２８】
消火器操作ユニット１の消火器２への取付けが完了したら、消火器２を、火元となり得る消火対象物ＴＢが設置されている部屋に設置する。このとき消火器２は、消火器操作ユニット１のホース保持部３５から突出しているノズル１７が消火対象物ＴＢと対向し、カメラ６０の撮像範囲ＳＨ内に消火対象物ＴＢが入るようにする（図１２（ａ））。なお、上記のように消火器２を設置した状態においては、消火器２が消火剤ＳＺの噴射時に転倒しないようにするための工夫が必要である。本実施の形態では、図１２（ｂ）に示すように、消火器２を別途用意した消火器設置台７０に固定バンド７１等を介して取り付けたうえで、消火器設置台７０を壁等に対して固定するようにしている（図１２（ａ））。なお、固定バンド７１は消火器設置台７０を介さず壁等に直接取り付けられているのであってもよい。
【００２９】
上記のようにして消火器２をノズル１７が消火対象物ＴＢと対向するように設置したら、消火器操作ユニット１の制御装置５０から延びる電源ケーブル５２に取り付けられたプラグＰＧを室内の商用電源のコンセントＣＴに差し込む（図１２（ａ），（ｂ））。そして、所定の操作を行うことによって、カメラ６０による動画撮像を開始させる。
【００３０】
カメラ６０が撮像範囲ＳＨ内の範囲の動画撮像を行っている状況において、消火対象物ＴＢから炎ＦＬが立ち上がった場合には（図１３（ａ））、制御装置５０の判断部５０ａは、カメラ６０の撮像範囲ＳＨ内に炎ＦＬが発生したことを検知し、信号出力部５０ｂはワイヤ巻取りモータ４１の作動指令信号を出力する。作動指令信号を受けたワイヤ巻取りモータ４１はワイヤ４３を巻き取り、消火器２の操作レバー１５を支点１５Ｓ回りに下方に揺動させるので、ホース１６の先端部（ノズル１７）より消火剤ＳＺが噴出される（図１３（ｂ））。これにより消火剤ＳＺは炎ＦＬに吹き付けられ、炎ＦＬは消火される。なお、このとき制御装置５０の信号出力部５０ｂは、判断部５０ａが検出した炎ＦＬの位置の情報に基づいて、消火剤ＳＺの噴出方向を炎ＦＬの方へ向けるべく横方向揺動モータ３１と縦方向揺動モータ３４を作動させるので、消火剤ＳＺは炎ＦＬの方向に向けて噴射され、確実な消火が図られる。
【００３１】
このように本実施の形態における消火器操作ユニット１は、操作レバー１５を支点１５Ｓ回りに下方に揺動させるとホース１６の先端部より消火剤ＳＺが噴出される構成のレバー操作型の消火器２に対して着脱自在に取り付けて用いるものであり、消火器２のホース１６をその先端部側が操作レバー１５の上方をほぼ水平に延びるように上下面内で反転屈曲させた状態で保持し、電気的にレバー操作アクチュエータ（ワイヤ巻取りモータ４１）を作動させて操作レバー１５を揺動させるようになっている。このため、消火器操作ユニット１を取り付けた消火器２を部屋に設置する際、ホース１６の先端部が火元となり得る領域に向くようにしておきさえすれば、消火活動時には消火器２を手に取ってホース１６の先端部を火元に向けるという行為をすることなく、火元に消火剤ＳＺを吹き付けて火元の消火を図ることができる。よって、火災発生時に居合わせた者が小さい子供や体が不自由な人であったような場合であっても、消火器２を用いた適切な消火活動を行うことができる。
【００３２】
上述の実施の形態では、消火器操作ユニット１では、ワイヤ巻取りモータ４１の作動指令信号を出力する信号出力手段として、炎ＦＬの発生を検知するカメラ６０と、カメラ６０が炎ＦＬを検知したときにワイヤ巻取りモータ４１を作動させる制御装置５０とから成り、ノズル１７から自動で消火剤ＳＺが噴出される構成であったが、このような構成に変えて、信号出力手段が、ワイヤ巻取りモータ４１の作動指令信号を手動操作により出力させる手動操作スイッチＳＷから成るものとしてもよい（図１４）。このような構成では、炎ＦＬの発生は人が検知し、ノズル１７から消火剤ＳＺを噴出させる操作（手動操作スイッチＳＷの操作）も人が行うことになるが、消火活動時に消火器２を設置場所から取り上げてノズル１７を火元に向け、そのうえで操作レバー１５を操作するという一連の行為をする必要がないので、自動で消火剤ＳＺが噴出される構成と同様に、火災発生時に居合わせた者が小さい子供や体が不自由な人であったような場合であっても、消火器２を用いた適切な消火活動を行うことができる。ここで用いられる消火器２は、住宅（家庭）用や業務用等として一般に市販されているものであるので、本発明に係る消火器操作ユニット１を用いることにより、各家庭で安価な消火システムを容易に構築することが可能である。
【００３３】
また、本実施の形態における消火器操作ユニット１では、消火器２のホース１６はＵ字状に屈曲されて操作レバー１５の上方をほぼ水平に延びるようにハウジング２０内に収められ、ホース１６の先端部側（ノズル１７側）は操作レバー１５の延びる側に向くようになっていることから、消火器操作ユニット１全体は極めてコンパクトな構成となる。また、これにより消火器２に取り付けた状態の消火器操作ユニット１の重心位置と消火器２自体の重心の位置とを上下方向にほぼ一致させることができる。このため、消火器操作ユニット１が取り付けられた状態の消火器２を自立させることが可能であり、消火器操作ユニット１を消火器２に取り付ける際などの取扱いが容易である。ホース１６をＵ字側に屈曲させて操作レバー１５の上方に配置した状態で消火剤ＳＺを噴出させるという構成は、操作レバー１５を直接手で握って操作する場合にはあり得ないものであり、操作レバー１５を手動ではなくアクチュエータで揺動させる本装置の構成に合致したものとなっている。また、消火器２を使用した場合や消火器２の使用期限が切れた場合には、消火器操作ユニット１を消火器２から取り外して新品の消火器２に改めて取り付ければよく、継続的な使用が可能である。
【００３４】
上述の実施の形態では、レバー操作アクチュエータは、装着部材であるワイヤ４３を下方に引き下げて操作レバー１５を支点１５Ｓ回りに下方に揺動させる構成のもの（ワイヤ巻取りモータ４１）であったが、レバー操作アクチュエータは、装着部材であるロッド部材を下方に引き下げて操作レバー１５を支点１５Ｓ回りに揺動させる構成のもの等であってもよい。また、上述の実施の形態では、ホース保持部３５は、ホース１６のうち操作レバー１５の上方を延びる部分１６Ｓを挿通させる筒状部材から成っていたが、ホース保持部３５は必ずしも筒状部材でなくてもよく、ホース１６の上記部分１６Ｓの数箇所を上方或いは下方から把持する構成のもの等であってもよい。
【産業上の利用可能性】
【００３５】
火災発生時に消火器を用いた適切な消火活動を行える消火器操作ユニットを提供する。
【符号の説明】
【００３６】
１  消火器操作ユニット
２  消火器
１１  本体部
１５  操作レバー
１５Ｓ  支点
１６  ホース
２０  ハウジング
３１  横方向揺動モータ
３４  縦方向揺動モータ
３５  ホース保持部
４１  ワイヤ巻取りモータ（レバー操作アクチュエータ）
４３  ワイヤ（装着部材）
５０  制御装置（信号出力手段）
５０ａ  判断部
５０ｂ  信号出力部
６０  カメラ（信号出力手段）
ＳＺ  消火剤
ＳＨ  撮像範囲
ＳＷ  手動操作スイッチ
ＦＬ  炎
【図１】
2016182218.tif 000003
【図２】
2016182218.tif 000004
【図３】
2016182218.tif 000005
【図４】
2016182218.tif 000006
【図５】
2016182218.tif 000007
【図６】
2016182218.tif 000008
【図７】
2016182218.tif 000009
【図８】
2016182218.tif 000010
【図９】
2016182218.tif 000011
【図１０】
2016182218.tif 000012
【図１１】
2016182218.tif 000013
【図１２】
2016182218.tif 000014
【図１３】
2016182218.tif 000015
【図１４】
2016182218.tif 000016